(57)【特許請求の範囲】
【請求項１】
外側に突出するように球面状に湾曲している一方の主面および平坦な他方の主面を有し、誘電体からなる基部と、
前記基部の前記他方の主面に設けられた外部接続用の複数の接続端子と、
前記基部の内部において前記一方の主面に沿って設けられた複数のアンテナ素子と、
前記複数の接続端子と前記複数のアンテナ素子とを接続する複数の接続配線と、
前記基部の内部に設けられ、前記複数の接続配線の各々の一部の回りを囲むように配置されて接地されている接地配線とを備え、
前記複数の接続配線の各々は、前記他方の主面に垂直な方向から見て、前記接地配線が設けられている領域に位置する部分において、前記他方の主面に垂直な方向に延在している、アンテナモジュール。
【請求項２】
前記接地配線は、前記他方の主面に垂直な方向から見て、互いに一部重複する位置にある複数の接地層がビア導体にて互いに接続されて構成されている、請求項１に記載のアンテナモジュール。
【請求項３】
前記基部の前記一方の主面を覆い、前記誘電体と空気との中間の誘電率を有する材料で構成された被覆層をさらに備える、請求項１または請求項２に記載のアンテナモジュール。
【請求項４】
前記被覆層上に設けられた複数の放射電極をさらに備え、
前記複数の放射電極は、前記複数のアンテナ素子から給電される、請求項３に記載のアンテナモジュール。
【請求項５】
前記基部の前記他方の主面に実装された電子部品をさらに備え、
前記電子部品は、前記複数の接続端子のうちの一部の接続端子に接続されている、請求項１から請求項４のいずれか１項に記載のアンテナモジュール。
【発明の詳細な説明】
【技術分野】
【０００１】
本発明は、アンテナモジュールに関し、特に、多層基板を含むアンテナモジュールに関する。
【背景技術】
【０００２】
セラミックグリーンシートを積層して構成され、縦断面が半円形状を有する曲面積層セラミックシートの構成を開示した先行文献として、特開平９−１８３１１０号公報(特許文献１)がある。【０００３】
特許文献１に記載された曲面積層セラミックシートは、縦断面が半円形状の下層グリーンシートと、下層グリーンシート上に設けられた上層グリーンシートと、上層グリーンシートの上面に設けられたセラミック膜とを備える。上層グリーンシートは、下層グリーンシートの半円形状に沿って湾曲している。上層グリーンシートは、下層グリーンシートと一体的に成形され、縦断面において均一な厚みを有している。上層グリーンシートは、上面にパッチアンテナを有するとともに、下面にグランドパターンを有する。多層回路基板として曲面積層セラミックシートを製造する場合には、上層グリーンシートが複数積層されて圧着される。
【先行技術文献】
【特許文献】
【０００４】
【特許文献１】特開平９−１８３１１０号公報
【発明の概要】
【発明が解決しようとする課題】
【０００５】
上層グリーンシートを湾曲させた状態で複数積層した場合、下側に位置する上層グリーンシートと上側に位置する上層グリーンシートとの曲率が異なる。そのため、下側に位置する上層グリーンシートに設けられている導体パターンと、上側に位置する上層グリーンシートに設けられている導体パターンとを、上層グリーンシートに設けられているビア導体により互いに接合した場合に、ビア導体が斜めに傾いた状態となり、電気的接続が不安定となる。また、電気的接続の安定性を確保するために、ビア導体との接続箇所に面積の広いランドを形成した場合は、アンテナにつながる負荷のインピーダンスが不連続となりアンテナの効率が低下する。【０００６】
本発明は上記の問題点に鑑みてなされたものであって、電気的接続が安定しており効率の良いアンテナモジュールを提供することを目的とする。
【課題を解決するための手段】
【０００７】
本発明に基づくアンテナモジュールは、基部と外部接続用の複数の接続端子と複数のアンテナ素子と複数の接続配線と接地配線とを備える。基部は、外側に突出するように球面状に湾曲している一方の主面および平坦な他方の主面を有する。基部は、誘電体からなる。外部接続用の複数の接続端子は、基部の他方の主面に設けられている。複数のアンテナ素子は、基部の内部において一方の主面に沿って設けられている。複数の接続配線は、複数の接続端子と複数のアンテナ素子とを接続する。接地配線は、基部の内部に設けられている。接地配線は、複数の接続配線の各々の一部の回りを囲むように配置されて接地されている。複数の接続配線の各々は、他方の主面に垂直な方向から見て、接地配線が設けられている領域に位置する部分において、他方の主面に垂直な方向に延在している。【０００８】
本発明の一形態においては、接地配線は、他方の主面に垂直な方向から見て、互いに一部重複する位置にある複数の接地層がビア導体にて互いに接続されて構成されている。【０００９】
本発明の一形態においては、アンテナモジュールは、被覆層をさらに備える。被覆層は、基部の一方の主面を覆っている。被覆層は、誘電体と空気との中間の誘電率を有する材料で構成されている。【００１０】
本発明の一形態においては、アンテナモジュールは、複数の放射電極をさらに備える。複数の放射電極は、被覆層上に設けられている。複数の放射電極は、複数のアンテナ素子から給電される。【００１１】
本発明の一形態においては、アンテナモジュールは、電子部品をさらに備える。電子部品は、基部の他方の主面に実装されている。電子部品は、複数の接続端子のうちの一部の接続端子に接続されている。
【発明の効果】
【００１２】
本発明によれば、アンテナモジュールの電気的接続を安定させつつ効率を良くすることができる。
【図面の簡単な説明】
【００１３】
【図１】本発明の実施形態１に係るアンテナモジュールの外観を示す平面図である。
【図２】図１のアンテナモジュールを矢印ＩＩ方向から見た側面図である。
【図３】図２のアンテナモジュールを矢印ＩＩＩ方向から見た背面図である。
【図４】図１のアンテナモジュールをＩＶ−ＩＶ線矢印方向から見た断面図である。
【図５】本発明の実施形態１に係るアンテナモジュールを構成する複数のグリーンシートの積層構造において１つのアンテナモジュールに相当する部分を示す分解斜視図である。
【図６】本発明の実施形態１に係るアンテナモジュールを構成する複数のグリーンシートの積層構造において１つのアンテナモジュールに相当する部分を示す断面図である。
【図７】本発明の実施形態１に係るアンテナモジュールを構成する複数のグリーンシートの積層構造を示す分解側面図である。
【図８】図７の複数のグリーンシートの積層構造を矢印ＶＩＩＩ方向から見た平面図である。
【図９】本発明の実施形態１に係るアンテナモジュールを構成する複数のグリーンシートを圧着した状態を示す平面図である。
【図１０】本発明の実施形態１に係るアンテナモジュールが用いられる通信モジュールの構成を示す回路図である。
【図１１】本発明の実施形態２に係るアンテナモジュールの外観を示す平面図である。
【図１２】図１１のアンテナモジュールを矢印ＸＩＩ方向から見た側面図である。
【図１３】図１２のアンテナモジュールを矢印ＸＩＩＩ方向から見た背面図である。
【図１４】図１１のアンテナモジュールをＸＩＶ−ＸＩＶ線矢印方向から見た断面図である。
【図１５】本発明の実施形態２に係るアンテナモジュールにおいて、被覆層および放射電極を形成した状態を示す断面図である。
【図１６】本発明の実施形態２に係るアンテナモジュールにおいて、基部の他方の主面上に電子部品を実装し、接続端子となる柱状導体を形成した状態を示す断面図である。
【図１７】本発明の実施形態２に係るアンテナモジュールにおいて、基部の他方の主面上に封止樹脂を設けた状態を示す断面図である。
【発明を実施するための形態】
【００１４】
以下、本発明の各実施形態に係るアンテナモジュールについて図を参照して説明する。以下の実施形態の説明においては、図中の同一または相当部分には同一符号を付して、その説明は繰り返さない。
【００１５】
(実施形態１)
図１は、本発明の実施形態１に係るアンテナモジュールの外観を示す平面図である。図２は、図１のアンテナモジュールを矢印ＩＩ方向から見た側面図である。図３は、図２のアンテナモジュールを矢印ＩＩＩ方向から見た背面図である。図４は、図１のアンテナモジュールをＩＶ−ＩＶ線矢印方向から見た断面図である。
【００１６】
図１〜図４に示すように、本発明の実施形態１に係るアンテナモジュール１００は、基部１１０と外部接続用の複数の接続端子１２０と複数のアンテナ素子１３０と複数の接続配線１５０と接地配線１４０とを備える。アンテナモジュール１００は、複数の接続配線１６０および複数の接続配線１７０をさらに備える。本実施形態に係るアンテナモジュール１００は、コンフォーマルアレイアンテナとして機能する。
【００１７】
基部１１０は、外側に突出するように球面状に湾曲している一方の主面１１１および平坦な他方の主面１１２を有する。基部１１０は、誘電体からなる。外部接続用の複数の接続端子１２０は、基部１１０の他方の主面１１２に設けられている。複数のアンテナ素子１３０は、基部１１０の内部において一方の主面１１１に沿って設けられている。
【００１８】
複数の接続配線１５０は、複数の接続端子１２０うちの一部の接続端子１２０と複数のアンテナ素子１３０とを１対１で対応するように接続する。ただし、複数の接続配線１５０によって、１つの接続端子１２０に複数のアンテナ素子１３０が接続されていてもよい。
【００１９】
接地配線１４０は、基部１１０の内部に設けられている。接地配線１４０は、複数の接続配線１５０の各々の一部の回りを囲むように配置されて接地されている。複数の接続配線１５０の各々は、他方の主面１１２に垂直な方向から見て、接地配線１４０が設けられている領域に位置する部分において、他方の主面１１２に垂直な方向に延在している。接地配線１４０は、アンテナの電気壁として機能する。
【００２０】
複数の接続配線１６０は、複数の接続端子１２０うちの他の一部の接続端子１２０と接地配線１４０とを互いに接続する。複数の接続配線１７０は、複数の接続端子１２０うちのさらに他の一部の接続端子１２０と接続されて回路を構成している。
【００２１】
以下、本実施形態に係るアンテナモジュール１００の製造方法について説明する。
図５は、本発明の実施形態１に係るアンテナモジュールを構成する複数のグリーンシートの積層構造において１つのアンテナモジュールに相当する部分を示す分解斜視図である。図６は、本発明の実施形態１に係るアンテナモジュールを構成する複数のグリーンシートの積層構造において１つのアンテナモジュールに相当する部分を示す断面図である。
【００２２】
図７は、本発明の実施形態１に係るアンテナモジュールを構成する複数のグリーンシートの積層構造を示す分解側面図である。図８は、図７の複数のグリーンシートの積層構造を矢印ＶＩＩＩ方向から見た平面図である。図９は、本発明の実施形態１に係るアンテナモジュールを構成する複数のグリーンシートを圧着した状態を示す平面図である。
【００２３】
なお、図５においては、後述する複数の接地層を互いに接続するビア導体を図示していない。また、後述する導体パターン４０を接地させるビア導体も図示していない。図７〜図９においては、グリーンシートに設けられている導体パターンおよびビア導体は図示していない。図８においては、後述するグリーンシート１８，１９を透視して図示している。
【００２４】
図５〜図８に示すように、本発明の実施形態１に係るアンテナモジュール１００を製造する際には、まず、複数のグリーンシート１０〜１９が積層されて構成された積層体１００ａを形成する。
【００２５】
複数のグリーンシート１０〜１９の各々は、アルミナおよびガラスなどの混合粉末と有機バインダなどで構成されている。複数のグリーンシート１０〜１９の各々に設けられている導体パターンおよびビア導体は、銀または銅などの電気抵抗の低い金属で構成されている。
【００２６】
グリーンシート１０の一方の主面には、導体パターン７１が設けられている。グリーンシート１０の他方の主面には、複数の接続端子１２０となる導体パターン２０が行列状に設けられている。グリーンシート１０には、接続配線１５０の一部となるビア導体５０、接続配線１６０の一部となるビア導体６０、および、接続配線１７０の一部となるビア導体７０が設けられている。
【００２７】
グリーンシート１０の一方の主面上に、グリーンシート１１が配置される。グリーンシート１１の一方の主面上に、グリーンシート１２が配置される。グリーンシート１２の一方の主面上に、グリーンシート１３が配置される。
【００２８】
グリーンシート１１〜１３の各々の一方の主面には、導体パターン７１が設けられている。グリーンシート１１〜１３の各々には、接続配線１５０の一部となるビア導体５０、および、接続配線１６０の一部となるビア導体６０が設けられている。
【００２９】
グリーンシート１０〜１３の各々において、導体パターン７１の一部は接続配線１５０の一部となり、導体パターン７１の他の一部は接続配線１６０の一部となり、導体パターン７１のさらに他の一部は接続配線１７０の一部となる。
【００３０】
グリーンシート１３の一方の主面上に、グリーンシート１４が配置される。グリーンシート１４の一方の主面には、接地配線１４０の一部となる導体パターン４０が設けられている。グリーンシート１４に設けられている導体パターン４０において１つのアンテナモジュール１００に対応する部分は、矩形の枠状に設けられている。
【００３１】
グリーンシート１４には、接続配線１５０の一部となるビア導体５０、および、接続配線１６０の一部となるビア導体６０が設けられている。グリーンシート１４において、１つのアンテナモジュール１００に対応するビア導体５０は、矩形の枠状に設けられている導体パターン４０によって囲まれている領域内にて行列状に設けられている。
【００３２】
グリーンシート１０〜１４の各々は、略同一の面積の矩形状の外形を有する。グリーンシート１０〜１４の各々は、図８に示すように、複数のアンテナモジュール１００に対応する大きさで形成されている。グリーンシート１０〜１４は、略直方体状に積層されている。
【００３３】
グリーンシート１４の一方の主面上に、グリーンシート１５が配置される。グリーンシート１５の一方の主面上に、グリーンシート１６が配置される。グリーンシート１６の一方の主面上に、グリーンシート１７が配置される。グリーンシート１５〜１７の各々は、グリーンシート１４において１つのアンテナモジュール１００に対応する部分に、１つずつ配置される。
【００３４】
グリーンシート１５〜１７の各々は、互いに面積の異なる矩形状の外形を有する。グリーンシート１５の外形の面積は、グリーンシート１４において１つのアンテナモジュール１００に対応する部分の面積より小さい。グリーンシート１６の外形の面積は、グリーンシート１５の外形の面積より小さい。グリーンシート１７の外形の面積は、グリーンシート１６の外形の面積より小さい。グリーンシート１５〜１７は、図６〜図８に示すように、ピラミッド状に積層されている。
【００３５】
グリーンシート１５〜１７の各々の一方の主面には、接地配線１４０の一部となる導体パターン４０が設けられている。グリーンシート１５，１６の各々に設けられている導体パターン４０は、矩形の枠状に設けられている。グリーンシート１７に設けられている導体パターン４０は、グリーンシート１７の一方の主面を覆っている。
【００３６】
グリーンシート１５に設けられている導体パターン４０の外周部は、グリーンシート１４に設けられている導体パターン４０の内周部と重なっている。グリーンシート１６に設けられている導体パターン４０の外周部は、グリーンシート１５に設けられている導体パターン４０の内周部と重なっている。グリーンシート１７に設けられている導体パターン４０の外周部は、グリーンシート１６に設けられている導体パターン４０の内周部と重なっている。
【００３７】
グリーンシート１５〜１７の各々には、接続配線１５０の一部となるビア導体５０、および、接地配線１４０の一部となるビア導体４１が設けられている。グリーンシート１５のビア導体５０は、グリーンシート１４の対応するビア導体５０の直上に位置するように配置される。グリーンシート１６のビア導体５０は、グリーンシート１５の対応するビア導体５０の直上に位置するように配置される。グリーンシート１７のビア導体５０は、グリーンシート１６の対応するビア導体５０の直上に位置するように配置される。
【００３８】
グリーンシート１５のビア導体４１は、グリーンシート１５に設けられている導体パターン４０の外周部と接続されている。グリーンシート１６のビア導体４１は、グリーンシート１６に設けられている導体パターン４０の外周部と接続されている。グリーンシート１７のビア導体４１は、グリーンシート１７に設けられている導体パターン４０の外周部と接続されている。
【００３９】
グリーンシート１５〜１７の各々において、導体パターン４０とビア導体５０とは、電気的に接続されていない。具体的には、グリーンシート１５〜１７の各々において、ビア導体５０の位置に対応して、導体パターン４０に開口部が設けられている。
【００４０】
グリーンシート１７の一方の主面上に、グリーンシート１８が配置される。グリーンシート１８は、グリーンシート１０〜１４の各々と略同一の面積の矩形状の外形を有する。グリーンシート１８の一方の主面には、複数のアンテナ素子１３０となる導体パターン３０が設けられている。グリーンシート１８において１つのアンテナモジュール１００に対応する導体パターン３０は、行列状に設けられている。
【００４１】
グリーンシート１８には、接続配線１５０の一部となるビア導体５０が設けられている。グリーンシート１８において１つのアンテナモジュール１００に対応するビア導体５０は、導体パターン３０に対応して行列状に設けられている。グリーンシート１８のビア導体５０は、グリーンシート１４〜１７の対応するビア導体５０の直上に位置するように配置される。
【００４２】
グリーンシート１８の一方の主面上に、グリーンシート１９が配置される。グリーンシート１９は、グリーンシート１０〜１４，１８の各々と略同一の面積の矩形状の外形を有する。
【００４３】
上記のように構成された積層体１００ａを等方圧プレス法などにより圧着することにより、図９に示すように、グリーンシート１８，１９は、グリーンシート１５〜１７のピラミッド形状に沿うように変形する。このとき、グリーンシート１５〜１７の各々の外周部が押し潰されるように変形する。その結果、積層体１００ａの一方の主面側は、１つのアンテナモジュール１００に対応する部分毎に、外側に突出するように球面状に湾曲した形状となる。積層体１００ａの他方の主面側は、平坦な形状を維持している。
【００４４】
グリーンシート１８において１つのアンテナモジュール１００に対応する導体パターン３０は、積層体１００ａの一方の主面側の球面状に湾曲した形状に沿った形状となる。グリーンシート１５〜１７の各々に設けられている導体パターン４０の外周部は、積層体１００ａの一方の主面側の球面状に湾曲した形状に沿った形状となる。
【００４５】
グリーンシート１５のビア導体４１は、押し潰された状態で、グリーンシート１４に設けられている導体パターン４０とグリーンシート１５に設けられている導体パターン４０とを互いに接続する。グリーンシート１６のビア導体４１は、押し潰された状態で、グリーンシート１５に設けられている導体パターン４０とグリーンシート１６に設けられている導体パターン４０とを互いに接続する。グリーンシート１７のビア導体４１は、押し潰された状態で、グリーンシート１６に設けられている導体パターン４０とグリーンシート１７に設けられている導体パターン４０とを互いに接続する。
【００４６】
グリーンシート１４に設けられている導体パターン４０は、グリーンシート１０〜１４のビア導体６０、および、グリーンシート１０〜１３に設けられている対応する導体パターン７１が互いに接続されることにより、対応する導体パターン２０と電気的に接続される。
【００４７】
グリーンシート１４〜１７のビア導体５０は、積層体１００ａの他方の主面に垂直な方向に延在した状態で互いに接続される。グリーンシート１０〜１８の対応するビア導体５０、および、グリーンシート１０〜１３に設けられている対応する導体パターン７１が互いに接続されることにより、互いに対応する導体パターン３０と導体パターン２０とが電気的に接続される。
【００４８】
積層体１００ａを９００℃程度の加熱温度で焼成することにより、図１〜図４に示すアンテナモジュール１００を形成することができる。その後、図７〜図９に示す、切断線Ｘに沿ってダイシングして個片化することにより、複数のアンテナモジュール１００を製造することができる。
【００４９】
ここで、本実施形態に係るアンテナモジュール１００が用いられる通信モジュールの一例について説明する。図１０は、本発明の実施形態１に係るアンテナモジュールが用いられる通信モジュールの構成を示す回路図である。
【００５０】
図１０に示すように、通信モジュール１は、電源部２、信号分離部３、周波数コンバータ４、複数の移相器５、複数の受信増幅器６ａ、複数の送信増幅器６ｂ、複数の送受切換器７および複数のアンテナ９を備える。周波数コンバータ４、複数の移相器５、複数の受信増幅器６ａ、複数の送信増幅器６ｂおよび複数の送受切換器７は、送受信ＩＣ(Integrated  Circuit)８に設けられている。
【００５１】
アンテナモジュール１００のアンテナ素子１３０がアンテナ９に相当し、アンテナモジュール１００の接続端子１２０に送受信ＩＣ８が接続される。アンテナモジュール１００の他方の主面１１２が平坦であるため、接続端子１２０と送受信ＩＣ８とを容易に接続することができる。
【００５２】
本実施形態に係るアンテナモジュール１００においては、複数の接続配線１５０の各々は、他方の主面１１２に垂直な方向から見て、接地配線１４０が設けられている領域に位置する部分において、他方の主面１１２に垂直な方向に延在していることにより、アンテナ素子１３０と接続端子１２０との接続配線１５０による電気的接続を安定させることができる。
【００５３】
なお、ビア導体５０を有するグリーンシート１０〜１８において湾曲した形状に変形させられるのは、アンテナ素子１３０となる導体パターン３０が設けられているグリーンシート１８のみであるため、グリーンシートの積層枚数が増えた場合にも接続配線１５０の電気的接続の安定性を確保できる。
【００５４】
また、グリーンシート１４〜１７のビア導体５０の接続箇所に面積の広いランドを形成する必要がないため、アンテナにつながる負荷のインピーダンスの連続性を維持して、アンテナの効率を良くすることができる。
【００５５】
本実施形態に係るアンテナモジュール１００においては、接地配線１４０が、他方の主面１１２に垂直な方向から見て、互いに一部重複する位置にある複数の接地層となる導体パターン４０がビア導体４１にて互いに接続されて構成されていることにより、接地面積を十分に確保して接地配線１４０の電位を安定させることができる。
【００５６】
また、接地配線１４０が複数の接続配線１６０によって複数の接続端子１２０と接続されているため、接地配線１４０に電気的に接続されている複数の接続端子１２０を接地することにより、接地配線１４０と接地電位との間のインピーダンスを低くすることができる。これによっても、接地配線１４０の電位を安定させることができる。
【００５７】
複数のアンテナ素子１３０が、球面状に湾曲した一方の主面１１１に沿って行列状に設けられていることにより、アンテナの放射方向を広く確保することができる。なお、一方の主面１１１をより滑らかな球面状にするためには、ピラミッド状に積層されている複数のグリーンシートの各々の厚さを薄くして積層枚数を多くすることが好ましい。
【００５８】
また、複数のアンテナ素子１３０が基部１１０の内部に設けられていることにより、複数のアンテナ素子１３０の損傷および剥離の発生を抑制することができる。
【００５９】
本実施形態に係るアンテナモジュール１００は、一括で多数のアンテナモジュール１００を製造することができるため、量産性に優れている。
【００６０】
(実施形態２)
以下、本発明の実施形態２に係るアンテナモジュールについて図を参照して説明する。本発明の実施形態２に係るアンテナモジュール２００は、被覆層および被覆層上に設けられた放射電極をさらに備え、電子部品が実装されている点が主に、実施形態１に係るアンテナモジュール１００と異なるため、実施形態１に係るアンテナモジュール１００と同様である構成については説明を繰り返さない。
【００６１】
図１１は、本発明の実施形態２に係るアンテナモジュールの外観を示す平面図である。図１２は、図１１のアンテナモジュールを矢印ＸＩＩ方向から見た側面図である。図１３は、図１２のアンテナモジュールを矢印ＸＩＩＩ方向から見た背面図である。図１４は、図１１のアンテナモジュールをＸＩＶ−ＸＩＶ線矢印方向から見た断面図である。
【００６２】
図１１〜図１４に示すように、本発明の実施形態２に係るアンテナモジュール２００は、基部１１０と外部接続用の複数の接続端子２２０と複数のアンテナ素子１３０と複数の接続配線１５０と接地配線１４０とを備える。複数の接続端子２２０は、複数の接続端子１２０のうちの一部の接続端子１２０と１対１で対応するように接続されている。複数の接続端子２２０は、矩形状に並んでいる。複数の接続端子２２０の各々の端面は、後述する封止樹脂２２１から露出している。複数の接続端子２２０の各々は、基部１１０の他方の主面に垂直な方向から見て、円形である。
【００６３】
本発明の実施形態２に係るアンテナモジュール２００は、被覆層２８０をさらに備える。被覆層２８０は、基部１１０の一方の主面１１１を覆っている。被覆層２８０は、基部１１０を構成する誘電体と空気との中間の誘電率を有する材料で構成されている。本実施形態においては、被覆層２８０は樹脂で構成されているが、被覆層２８０を構成する材料は樹脂に限られない。被覆層２８０は、基部１１０の一方の主面１１１に沿う形状を有し、外側に突出するように球面状に湾曲している。
【００６４】
アンテナモジュール２００は、複数の放射電極２９０をさらに備える。複数の放射電極２９０は、被覆層２８０上に設けられている。複数の放射電極２９０は、球面状に湾曲した被覆層２８０上において行列状に設けられている。複数の放射電極２９０は、複数のアンテナ素子１３０から非接触給電される。
【００６５】
アンテナモジュール２００は、電子部品２２２，２３５をさらに備える。電子部品２２２，２３５は、基部１１０の他方の主面１１２に実装されている。電子部品２２２，２３５は、複数の接続端子１２０のうちの他の一部の接続端子１２０に接続されている。電子部品２２２は、ＩＣチップ２２３および半田バンプ２２４を含む。ＩＣチップ２２３は、図１０に示す送受信ＩＣ８に相当する。電子部品２３５は、電源部２および信号分離部３に相当する。なお、アンテナモジュール２００が備える電子部品の数および種類は、上記に限られない。
【００６６】
アンテナモジュール２００は、基部１１０の他方の主面１１２上に設けられた封止樹脂２２１をさらに備える。基部１１０の他方の主面１１２は、封止樹脂２２１で覆われている。電子部品２２２，２３５は、封止樹脂２２１によって封止されている。
【００６７】
以下、本実施形態に係るアンテナモジュール２００の製造方法について説明する。
図１５は、本発明の実施形態２に係るアンテナモジュールにおいて、被覆層および放射電極を形成した状態を示す断面図である。図１６は、本発明の実施形態２に係るアンテナモジュールにおいて、基部の他方の主面上に電子部品を実装し、接続端子となる柱状導体を形成した状態を示す断面図である。図１７は、本発明の実施形態２に係るアンテナモジュールにおいて、基部の他方の主面上に封止樹脂を設けた状態を示す断面図である。図１５〜図１７においては、図１４と同一の断面視にて図示している。
【００６８】
図１５に示すように、本発明の実施形態２に係るアンテナモジュール２００を製造する際には、基部１１０の一方の主面１１１上に、複数の放射電極２９０が形成されている被覆層２８０を設ける。具体的には、ダイシング前の状態の積層体の一方の主面上に、放射電極２９０となる銅箔パターンが形成されている樹脂シートを圧着する。この樹脂シートが被覆層２８０となる。
【００６９】
次に、図１６に示すように、基部１１０の他方の主面１１２上に電子部品２２２，２２５を実装し、接続端子２２０となる柱状導体２２０ａを形成する。
【００７０】
次に、図１７に示すように、基部１１０の他方の主面１１２上に封止樹脂２２１を設ける。これにより、電子部品２２２，２２５が封止樹脂２２１によって封止される。その後、封止樹脂２２１の基部１１０側とは反対側の端部を、切削または研削などにより除去することによって、図１４に示すアンテナモジュール２００を形成することができる。なお、接続端子２２０の封止樹脂２２１から露出している端面にめっきを施してもよい。その後、積層体をダイシングして個片化することにより、複数のアンテナモジュール２００を製造することができる。
【００７１】
本実施形態に係るアンテナモジュール２００においては、基部１１０を構成する誘電体と空気との中間の誘電率を有する材料で構成されている被覆層２８０が設けられていることにより、放射電極２９０からの放射インピーダンスを調整することができ、アンテナの効率を良くすることができる。
【００７２】
また、本実施形態に係るアンテナモジュール２００においては、非接触給電される放射電極２９０を備えることにより、放射電極２９０からの放射帯域幅を拡張することができる。
【００７３】
さらに、本実施形態に係るアンテナモジュール２００は、通信回路を構成する電子部品２２２，２２５が実装されていることにより、小型で電力損失が少なく、特性のばらつきの少ない通信モジュールを構成することができる。
【００７４】
上述した実施形態の説明において、組み合わせ可能な構成を相互に組み合わせてもよい。
【００７５】
今回開示された実施形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【００７６】
１  通信モジュール、２  電源部、３  信号分離部、４  周波数コンバータ、５  移相器、６ａ  受信増幅器、６ｂ  送信増幅器、７  送受切換器、９  アンテナ、１０，１１，１２，１３，１４，１５，１６，１７，１８，１９  グリーンシート、２０，３０，４０，７１  導体パターン、４１，５０，６０，７０  ビア導体、１００，２００  アンテナモジュール、１００ａ  積層体、１１０  基部、１１１  一方の主面、１１２  他方の主面、１２０，２２０  接続端子、１３０  アンテナ素子、１４０  接地配線、１５０，１６０，１７０  接続配線、２２０ａ  柱状導体、２２１  封止樹脂、２２２，２２５，２３５  電子部品、２２３  ＩＣチップ、２２４  半田バンプ、２８０  被覆層、２９０  放射電極。
【図１】
0006569826.tif 000002
【図２】
0006569826.tif 000003
【図３】
0006569826.tif 000004
【図４】
0006569826.tif 000005
【図５】
0006569826.tif 000006
【図６】
0006569826.tif 000007
【図７】
0006569826.tif 000008
【図８】
0006569826.tif 000009
【図９】
0006569826.tif 000010
【図１０】
0006569826.tif 000011
【図１１】
0006569826.tif 000012
【図１２】
0006569826.tif 000013
【図１３】
0006569826.tif 000014
【図１４】
0006569826.tif 000015
【図１５】
0006569826.tif 000016
【図１６】
0006569826.tif 000017
【図１７】
0006569826.tif 000018